(57)【要約】【課題】ドアガードのガード状態の解除を防止する。【解決手段】扉（１）に起倒可能に連結されたアーム部材（２）と、出入口枠（３）に取り付けられた係止部材（４）とを備え、アーム部材（２）には、閉扉状態でのアーム部材（２）の起倒により係止部材（４）が挿脱する挿脱孔（１０）と、開扉時に係止部材（４）上をストップ位置までスライドする上記挿脱孔（１０）に連なる案内溝（１１）とが設けられたドアガードにおいて、閉扉状態で係止部材（４）を挿脱孔（１０）に対する離脱阻止位置と離脱許容位置との間で切換える切換え手段（４ａ等）が設けられる。【選択図】　　　図４
2004019135.tif 000002
【特許請求の範囲】
【請求項１】
扉に起倒可能に連結されたアーム部材と、出入口枠に取り付けられた係止部材とを備え、アーム部材には、閉扉状態でのアーム部材の起倒により係止部材が挿脱する挿脱孔と、開扉時に係止部材上をストップ位置までスライドする上記挿脱孔に連なる案内溝とが設けられたドアガードにおいて、閉扉状態で係止部材を挿脱孔に対する離脱阻止位置と離脱許容位置との間で切換える切換え手段が設けられたことを特徴とするドアガード。
【請求項２】
扉に起倒可能に連結されたアーム部材と、出入口枠に取り付けられた係止部材とを備え、アーム部材には、閉扉状態でのアーム部材の起倒により係止部材が挿脱する挿脱孔と、開扉時に係止部材上をストップ位置までスライドする上記挿脱孔に連なる案内溝とが設けられたドアガードにおいて、閉扉状態で係止部材を挿脱孔に対する離脱阻止位置と離脱許容位置との間で切換える切換え手段が設けられ、係止部材は切換え手段により離脱阻止位置から離脱許容位置に切り換えられた状態で挿脱孔から案内溝への移行を阻止されるように形成されたことを特徴とするドアガード。
【請求項３】
請求項１又は請求項２に記載のドアガードにおいて、係止部材が案内溝内に在るときは切換え手段がロックされるようにしたことを特徴とするドアガード。
【請求項４】
請求項１乃至請求項３のいずれかに記載のドアガードにおいて、切換え手段により切り換えられる係止部材を離脱許容位置又は離脱阻止位置に拘束する位置決め手段が設けられたことを特徴とするドアガード。
【発明の詳細な説明】
【０００１】
【発明の属する技術分野】
本発明は、ドアガードに関する。
【０００２】
【従来の技術】
実公平３−１１３３４号公報、実開平２−４７３６９号公報は、用心金具であるドアガードについて開示する。これらのドアガードは、扉に枢軸を介し起倒可能に連結されたアーム部材と、出入口枠に固定された係止部材とを備え、アーム部材には、閉扉状態でのアーム部材の起倒操作に伴い係止部材に挿脱する挿脱孔と、開扉時に係止部材上をストップ位置までスライドする上記挿脱孔に連なる案内溝とが設けられている。
【０００３】
ドアガードをガード状態にするには、閉扉状態でアーム部材を扉上で起立させ、挿脱孔内に係止部材を突出させる。この状態で扉を開けると、アーム部材の案内溝が係止部材上をストップ位置までスライドする。これにより、扉は半開き状態になり、それ以上開かない。また、半開き状態の扉を閉じると、アーム部材は逆方向にスライドし、挿脱孔内に係止部材が到達したところで停止する。そこで、アーム部材を扉の表面へと倒すと、挿脱孔から係止部材が離脱し、ドアガードが解除状態にされる。これにより、扉は開閉自在になる。
【０００４】
【発明が解決しようとする課題】
ところが、上述のごとくドアガードをガード状態にするべく閉扉状態でアーム部材を扉上で起立させ、挿脱孔内に係止部材を突出させておくと、アーム部材が扉の表面へと倒れてドアガードが解除状態に戻されてしまう場合がある。
【０００５】
また、従来のドアガードは、アーム部材が扉上で引き起こされガード状態にされると、アーム部材の案内溝が係止部材上をストップ位置までスライド可能であるから、扉の半開は許容するが、扉を閉止状態にロックするための錠として機能するようにはなっていない。
【０００６】
従って、本発明は、上記課題を解決することができるドアガードを提供することを目的とする。
【０００７】
【課題を解決するための手段】
上述した課題を解決するために、請求項１の発明は、扉（１）に起倒可能に連結されたアーム部材（２）と、出入口枠（３）に取り付けられた係止部材（４）とを備え、アーム部材（２）には、閉扉状態でのアーム部材（２）の起倒により係止部材（４）が挿脱する挿脱孔（１０）と、開扉時に係止部材（４）上をストップ位置までスライドする上記挿脱孔（１０）に連なる案内溝（１１）とが設けられたドアガードにおいて、閉扉状態で係止部材（４）を挿脱孔（１０）に対する離脱阻止位置と離脱許容位置との間で切換える切換え手段（４ａ，４ｂ，２０，２２，２８，３２，３４）が設けられたドアガードを採用する。
【０００８】
また、請求項２の発明は、扉（１）に起倒可能に連結されたアーム部材（２）と、出入口枠（３）に取り付けられた係止部材（４）とを備え、アーム部材（２）には、閉扉状態でのアーム部材（２）の起倒により係止部材（４）が挿脱する挿脱孔（１０）と、開扉時に係止部材（４）上をストップ位置までスライドする上記挿脱孔（１０）に連なる案内溝（１１）とが設けられたドアガードにおいて、閉扉状態で係止部材（４）を挿脱孔（１０）に対する離脱阻止位置と離脱許容位置との間で切換える切換え手段（４ａ，４ｂ，２０，２２，２８，３２，３４）が設けられ、係止部材（４）は切換え手段（４ａ，４ｂ，２０，２２，２８，３２，３４）により離脱阻止位置から離脱許容位置に切り換えられた状態で挿脱孔（１０）から案内溝（１１）への移行を阻止されるように形成されたドアガードを採用する。
【０００９】
また、請求項３の発明は、請求項１又は請求項２に記載のドアガードにおいて、係止部材（４）が案内溝（１１）内に在るときは切換え手段（４ａ，４ｂ，２０，２２，２８，３２，３４）がロックされるようにしたドアガードを採用する。
【００１０】
また、請求項４の発明は、請求項１乃至請求項３のいずれかに記載のドアガードにおいて、切換え手段（４ａ，４ｂ，２０，２２，２８，３２，３４）により切り換えられる係止部材（４）を離脱許容位置又は離脱阻止位置に拘束する位置決め手段（１３，２３，２９，３３）が設けられたドアガードを採用する。
【００１１】
【発明の実施の形態】
以下、本発明の実施の形態について添付図面を参照して詳述する。
【００１２】
＜実施の形態１＞
図１乃至図４に示すように、このドアガードは、外開き用の扉１に起倒可能に連結されたアーム部材２と、出入口枠３に取り付けられた係止部材４とを備える。
【００１３】
アーム部材２は金属材料等により形成されたＵ字形部材であり、平行に伸びる二本のレール２ａ，２ｂと、二本のレール２ａ，２ｂの一端を閉じる閉止片２ｃとを具備する。アーム部材２は、二本のレール２ａ，２ｂが上下になって水平に伸びるように扉１の内表面１ａ上に配置される。
【００１４】
一方、扉１の内表面１ａには、ブラケット５が止めネジ６により固定され、このブラケット５の上下の腕５ａ，５ｂにアーム部材２の二本のレール２ａ，２ｂの他端が夫々垂直な枢軸７を介して連結される。これにより、アーム部材２は枢軸７を支点にして水平面上で回動可能となり、扉１の内表面１ａ上において起倒可能である。
【００１５】
また、図２に示すように、ブラケット５とアーム部材２との間には、クリックストップ機構がアーム部材２の位置決めのために設けられる。クリックストップ機構はブラケット５側に埋設されたボール等からなる凸部８と、凸部８が嵌まり込むアーム部材２側に形成された複数個の凹部９ａ，９ｂとで構成される。凸部８はブラケット５内に埋設された図示しないスプリングにより常時外向きに付勢される。もちろん、凸部８と凹部９ａ，９ｂはブラケット５とアーム部材２との間で入れ替えても良い。また、凸部８は屈曲させた板バネ等で構成してもよい。このクリックストップ機構の凹凸部９ａ，９ｂ，８の係合により、アーム部材２は図２中実線で示す扉１の内表面１ａ上で起立した位置と同図中二点鎖線で示す扉１の内表面１ａ上に倒れた位置のいずれか一方に選択的に保持される。このアーム部材２が図２中実線で示す位置に起立した状態がこのドアガードがガード状態にあるときに対応し、アーム部材２が同図中二点鎖線で示す位置に倒れた状態がドアガードが非ガード状態にあるときに対応する。
【００１６】
アーム部材２には、図１乃至図４に示すように、閉扉状態でのアーム部材２の起倒により係止部材４が挿脱する挿脱孔１０と、開扉時に係止部材４上をストップ位置までスライドする上記挿脱孔１０に連なる案内溝１１とが設けられる。
【００１７】
挿脱孔１０は、アーム部材２の上記ブラケット５側に形成される。具体的にはアーム部材２の二本のレール２ａ，２ｂ間に形成される。
【００１８】
案内溝１１は、アーム部材２の上記閉止片２ｃ側に形成される。具体的には二本のレール２ａ，２ｂの間隔が挿脱孔１０の箇所よりも狭められることにより形成される。
【００１９】
係止部材４は、図１及び図２に示すように、軸部４ａと、軸部４ａの先に膨出形成される頭部４ｂとを具備する。軸部４ａは受座１６を介して出入口枠３側に支持されており、受座１６に連結される丸軸３４と、丸軸３４の先に形成される後述するロック部２１とを具備する。頭部４ｂは挿脱孔１０の開口よりも小さいので、閉扉状態においてアーム部材２を扉１の内表面１ａ上で起こし又は倒すと、係止部材４が挿脱孔１０に入り込み又は挿脱孔１０から離脱する。また、頭部４ｂは案内溝１１の幅よりも大きいので、係止部材４が案内溝１１内に入った後はアーム部材２の扉１上での倒動作は不能になる。
【００２０】
また、係止部材４は、閉扉状態において係止部材４を挿脱孔１０に対する離脱阻止位置と離脱許容位置との間で切換えるための切換え手段を備える。
【００２１】
この切換え手段は、図１乃至図４に示すように、軸部４ａの先端の丸軸が受座１６の軸穴に軸回りで回転可能に挿入され、また係止部材４の頭部４ｂの側面から突起２０を突出させることにより構成される。
【００２２】
図１乃至図５に示すように、突起２０は頭部４ｂと一体化され全体として楕円形のごとく形成される。この突起２０は、係止部材４が図１及び図２に示す離脱許容位置から図３及び図４に示す離脱阻止位置に切り換えられると挿脱孔１０に係止し、アーム部材２の倒動作を阻止する。突起２０がアーム部材２の倒動作を阻止することにより、このドアガードはガード状態を維持する。このガード状態は係止部材４が離脱許容位置に切り換えられない限り解消されない。逆に、突起２０は、係止部材４が図３及び図４に示す離脱阻止位置から図１及び図２に示す離脱許容位置に切り換えられると挿脱孔１０から離反し、アーム部材２の倒動作を許容する。この突起２０は図示例では二個設けられるが、一個だけ設けても良い。
【００２３】
係止部材４と受座１６との間には、切換え手段により切り換えられる係止部材を離脱許容位置又は離脱阻止位置に拘束する位置決め手段が設けられる。
【００２４】
図５及び図６に示すように、この位置決め手段は具体的にはクリックストップ機構であり、係止部材４の丸軸３４の先端に固定ネジ１４で固定されるストッパ板１２と、ストッパ板１２に嵌まり込む係合子であるボール１３とを有する。ストッパ板１２は円板であり、その回りには例えば９０度間隔で四つの係合孔１５が穿設される。係止部材４の丸軸３４及びストッパ板１２は受座１６の軸穴内に軸回りに回転可能に保持される。受座１６が出入口枠３に長穴１７及び止めネジ１８（図１）を介して固定されることにより、係止部材４は出入口枠３上から閉じた扉１の内表面１ａに平行に水平方向に突出する。受座１６にその軸穴を囲むように一定ピッチで穿設された丸穴内には、係合子であるボール１３と、ボール１３をストッパ板側に付勢するスプリング１９とが収納される。ボール１３及びスプリング１９は丸軸３４の回りに例えば１８０度間隔で二つ埋設される。なお、係合孔１５は受座１６側に設けスプリング１９をストッパ板１２側に配置しても良く、またボール１３、係合孔１５の個数も適宜変更可能である。
【００２５】
係止部材４をその丸軸３４回りで左右いずれかに回転させるとボール１３が係合孔１５に嵌まり込むことにより、係止部材４は図１及び図２に示す離脱許容位置に停止し、更に、係止部材４をその丸軸３４回りで同方向に９０度回転させるとボール１３が次の係合孔１５に嵌まり込むことにより、係止部材４は図３及び図４に示す離脱阻止位置に停止する。このように係止部材４を回転させることにより、係止部材４を離脱許容位置又は離脱阻止位置に選択的に切り換えることができる。
【００２６】
また、図１及び図３に示すように、係止部材４の軸部４ａにはロック部２１が設けられる。このロック部２１は、上記切換え手段により係止部材４が離脱阻止位置から離脱許容位置に切り換えられると挿脱孔１０から案内溝１１への係止部材４の移行を阻止するためのもので、係止部材４の丸軸３４と頭部４ｂとの間に形成される。
【００２７】
具体的には、係止部材４の軸部４ａの挿脱孔１０に囲まれる箇所が横断面長方形の角軸とされることによりロック部２１が形成され、このロック部２１が、図１に示すように、係止部材４が離脱許容位置に切り換えられたときに長方形の長辺が案内溝１１側に臨み、図３に示すように、係止部材４が離脱阻止位置に切り換えられたときに長方形の短辺が案内溝１１側に臨むように配置される。ロック部２１の長方形断面の長辺は案内溝１１の幅よりも長いので、ロック部２１は案内溝１１内に侵入することはできず、また、ロック部２１の長方形断面の短辺は案内溝１１の幅よりもやや短いので、ロック部２１は案内溝１１内へとスライド可能である。
【００２８】
これにより、図１及び図２に示すように閉扉状態でアーム部材２を起立させ挿脱孔１０に係止部材４を挿入しておくと、ロック部２１が挿脱孔１０内に留まって係止部材４の案内溝１１内への移動を阻止し、ドアガードが錠として扉１の開扉を阻止する。また、係止部材４を図１及び図２に示す離脱許容位置から図３及び図４に示す離脱阻止位置に切り換えた状態で扉１を開こうとすると、ロック部２１がその短辺側から案内溝１１内へと入り込むので、図７及び図８に示すように、扉１はアーム部材２の閉止片２ｃがロック部２１に当接するまで開き半開状態で停止する。
【００２９】
また、この半開状態の扉１の隙間から手を差し込んで係止部材４を回そうとしても、ロック部２１が案内溝１１内で係止部材４の軸回りに回転不能であるから、切換え手段はロックされることとなり、係止部材４の離脱阻止位置から離脱許容位置への切り換えは阻止される。
【００３０】
なお、ロック部２１は横断面長方形に限らず横断面楕円形等の他の形状に形成することも可能である。
【００３１】
次に、上記構成のドアガードの作用を説明する。
【００３２】
このドアガードをガード状態にセットするには、まず、図１及び図２に示すように、係止部材４をその軸回りに回動操作して離脱許容位置にセットする。これにより、係止部材４の楕円形の頭部４ｂは水平方向に横長になりアーム部材２の挿脱孔１０に挿通可能な状態となる。この状態でアーム部材２を図２中二点鎖線位置から実線位置へと枢軸７を支点に回して起立させ、挿脱孔１０に係止部材４を挿通させる。アーム部材２はクリックストップ機構の作用により、図２中二点鎖線位置又は実線位置に正確に停止し保持される。
【００３３】
次いで、アーム部材２が扉１上に倒れないようにするために、係止部材４をその丸軸３４の軸心回りで時計方向又は反時計方向に９０度回転させて図３及び図４に示す離脱阻止位置に切り換える。係止部材４は、クリックストップ機構の作用により離脱阻止位置に正確に停止する。これにより、頭部４ｂは扉の上下方向に縦長になり、突起２０が挿脱孔１０の縁に係止してアーム部材２の横倒しを阻止する。この状態でアーム部材２に外力が作用しても、アーム部材２は扉１の内表面１ａ上に倒れることはなく、ドアガードはガード状態に保持される。
【００３４】
また、上記のように係止部材４を離脱阻止位置に切り換えると同時に、扉１は半開き可能な状態となる。すなわち、図３及び図４に示すように、ロック部２１が水平方向に横長になって案内溝１１内へと相対的にスライド可能になる。そこで、扉１を開けるに従い係止部材４のロック部２１上を案内溝１１の縁がスライドし、図７及び図８に示すように、アーム部材２のストップ位置となる閉止片２ｃがロック部２１に当接する。これにより、扉１は半開状態となってストップし、それ以上は開かない。この扉１の半開状態において、扉１の隙間から手を差し込み係止部材４を回動操作しようとしても、ロック部２１が案内溝１１内で回動し得ないので、切換え手段がロック状態となり、係止部材４の離脱許容位置への切換えが防止される。
【００３５】
また、例えば就寝時においては、このドアガードを錠として機能させるべく係止部材４を図３及び図４に示す離脱阻止位置から図１及び図２に示す離脱許容位置へと回転させる。これにより、図１のごとく係止部材４のロック部２１が垂直方向に縦長になって案内溝１１内に入らなくなり、係止部材４は挿脱孔１０から案内溝１１への移行を阻止される。これにより、扉１に設けられた図示しないメインの錠に加え、このドアガードが補助錠として扉１の施錠効果を高めることとなる。
【００３６】
＜実施の形態２＞
図９乃至図１２に示すように、この実施の形態２におけるドアガードでは、実施の形態１の場合と異なる構成の係止部材及び切換え手段が採用される。
【００３７】
すなわち、実施の形態１では係止部材４をその軸回りで回転させることにより離脱阻止位置と離脱許容位置との間での切換えを行うようになっているが、この実施の形態２では係止部材４をその軸方向にスライドさせることにより離脱阻止位置又は離脱許容位置に切換えるようになっている。
【００３８】
図９に示すように、係止部材４の軸部４ａは案内溝１１に嵌まり込みうる横断面円形の丸軸として形成される。また、頭部４ｂは案内溝１１の幅より大径の円柱片として形成され、この頭部４ｂの一部が実施の形態１における突起２０として機能する。軸部４ａは丸軸に限らず横断面矩形の角軸等他の形状としてもよく、頭部４ｂは円柱片に限らず角柱片等他の形状としてもよい。
【００３９】
図１１に示すように、係止部材４の軸部４ａは受座１６に形成されたスライド孔２２内にスライド自在に挿入される。スライド孔２２は閉状態の扉１の内表面１ａに平行に水平方向に伸びる。このスライド孔２２と係止部材４の軸部４ａとの間に位置決め手段としてクリックストップ機構が介装される。クリックストップ機構は、スライド孔２２のスライド壁面下に埋設された凸部であるボール２３と、ボール２３をスライド孔２２のスライド壁面上へと付勢するスプリング２４と、軸部４ａの側面に軸方向に沿うように形成された二つの凹部２５ａ，２５ｂとを具備する。二つの凹部２５ａ，２５ｂは係止部材４の離脱阻止位置と離脱許容位置に夫々対応する。スライド孔２２内には、係止部材４をスライド孔２２外へと付勢するスプリング２６が必要に応じて挿入される。
【００４０】
図１０及び図１１に示すように、係止部材４を二点鎖線で示す離脱許容位置からスライド孔２２の外方向にスライドさせて実線で示す離脱阻止位置に切り換えると、アーム部材２を実線で示す起立位置から二点鎖線で示す倒位置へと回転させようとしても挿脱孔１０に係止部材４の頭部４ｂが突起となって当接し、アーム部材２の倒動作を阻止する。また、図１０に示すように閉扉状態でアーム部材２を起立させ挿脱孔１０に係止部材４を挿入し、頭部４ｂを離脱阻止位置から離脱許容位置に切り換えた状態（二点鎖線で示す状態）にしておくと、頭部４ｂが挿脱孔１０内に留まって係止部材４の案内溝１１内への移動を阻止し、ドアガードが錠として扉１の開扉を阻止する。
【００４１】
次に、上記構成のドアガードの作用を説明する。
【００４２】
このドアガードをガード状態にするには、まず、図１０に示すように、係止部材４を実線位置から二点鎖線位置へとスライド孔２２内に押し込んで離脱許容位置に切り換える。係止部材４はクリックストップ機構の作用で離脱阻止位置から離脱許容位置へと正確に移動する。これにより、係止部材４の頭部４ｂはアーム部材２の挿脱孔１０に挿通可能な状態となる。この状態でアーム部材２を図１０中二点鎖線で示す倒位置から実線で示す起立位置へと枢軸７を支点に回転させ、挿脱孔１０に係止部材４を挿通させる。アーム部材２はクリックストップ機構の作用により、図１０中二点鎖線位置又は実線位置に正確に停止し保持される。
【００４３】
次いで、係止部材４を二点鎖線位置から実線位置へと引き出して離脱阻止位置に切り換える。係止部材４は、クリックストップ機構の作用により離脱阻止位置に正確に停止する。これにより、頭部４ｂが挿脱孔１０の縁の枢軸７を支点にした円弧１０ａ上に突出してアーム部材２の横倒しを阻止する。この状態でアーム部材２に外力が作用しても、アーム部材２は扉１の内表面１ａ側に倒れることはなく、ドアガードはガード状態に保持される。
【００４４】
また、上記のように係止部材４を離脱阻止位置に切り換えると同時に、扉１は半開き可能な状態となり、軸部４ａは案内溝１１内へとスライド可能になる。そこで、扉１を開けるに従い係止部材４の軸部４ａ上を案内溝１１の縁がスライドし、図１２に示すように、アーム部材２のストップ位置となる閉止片２ｃが軸部４ａに当接する。これにより、扉１は半開状態となってストップし、それ以上は開かない。この扉１の半開状態において、扉１の隙間から手を差し込み係止部材４をその軸方向にスライド操作しようとしても、頭部４ｂが案内溝１１の縁に引っ掛かりこのスライドを阻むので、係止部材４の離脱許容位置への切換えは防止される。
【００４５】
また、例えば就寝時においては、このドアガードを錠として機能させることができ、その場合は係止部材４を図１０中実線で示す離脱阻止位置から二点鎖線で示す離脱許容位置へと押し込んでおく。これにより、係止部材４の頭部４ｂが案内溝１１内に入らないので、係止部材４は挿脱孔１０から案内溝１１への移行を阻止される。従って、扉１に設けられた図示しないメインの錠に加え、このドアガードが補助錠として扉１の施錠効果を高めることとなる。
【００４６】
なお、この実施の形態２において実施の形態１と同じ部品には同じ符号を付して示すこととし、その詳細な説明は省略する。
【００４７】
＜実施の形態３＞
図１３乃至図１６に示すように、この実施の形態３におけるドアガードでは、実施の形態１又は実施の形態２と異なる構成の係止部材及び切換え手段が採用される。
【００４８】
すなわち、実施の形態１では係止部材４をその軸心回りで回転させることにより、また実施の形態２では係止部材４をその軸方向にスライドさせることにより、離脱阻止位置と離脱許容位置との間での切換えを行うようになっているが、この実施の形態３では係止部材４をその軸部４ａの軸方向に垂直な方向にスライドさせることにより離脱阻止位置又は離脱許容位置に切換えるようになっている。
【００４９】
図１３に示すように、係止部材４の軸部４ａは案内溝１１に嵌まり込みうる横断面円形の丸軸として形成される。また、頭部４ｂは案内溝１１の幅より大径の円柱片として形成され、この頭部４ｂの一部が実施の形態１における突起２０として機能する。軸部４ａは丸軸に限らず横断面矩形の角軸等他の形状としてもよく、頭部４ｂは円柱片に限らず角柱片等他の形状としてもよい。
【００５０】
図１３乃至図１６に示すように、受座１６には出入口枠３の上下方向に沿って垂直方向に伸びるスライド溝２７が形成され、このスライド溝２７にスライダ２８が嵌め込まれ、このスライダ２８に係止部材４の軸部４ａが固定される。係止部材４の軸部４ａは閉状態の扉１の内表面１ａに平行に水平方向に突出する。スライダ２８と受座１６との間には係止部材４の位置決め手段としてクリックストップ機構が介装される。クリックストップ機構は、受座１６のスライド溝２７のスライド壁面下に埋設された凸部であるボール２９と、ボール２９をスライダ２８へと付勢するスプリング３０と、スライダ２８の側面に垂直方向に沿うように形成された二つの凹部３１ａ，３１ｂとを具備する。二つの凹部３１ａ，３１ｂは係止部材４の離脱阻止位置と離脱許容位置に夫々対応する。
【００５１】
スライダ２８をスライド溝２７内でスライドさせて係止部材４を図１３に示す離脱許容位置から図１４に示す離脱阻止位置に切り換えると、アーム部材２を起位置から倒位置へと回転させようとしても挿脱孔１０の縁に係止部材４の頭部４ｂが突起となって当接し、アーム部材２の倒動作を阻止する。また、図１３に示すように閉扉状態でアーム部材２を起立させ挿脱孔１０に係止部材４を挿入し、係止部材４を離脱阻止位置から離脱許容位置に切り換えた状態にしておくと、軸部４ａが挿脱孔１０内において案内溝１１の入り口からずれるので、係止部材４の案内溝１１内への移動を阻止し、ドアガードが錠として扉１の開扉を阻止する。
【００５２】
次に、上記構成のドアガードの作用を説明する。
【００５３】
このドアガードをガード状態にセットするには、まず、スライダ２８をスライダ溝２７内でスライドさせて、係止部材４を図１４に示す離脱阻止位置から図１３に示す離脱許容位置に移動させる。係止部材４はクリックストップ機構の作用で離脱阻止位置から離脱許容位置へと正確に移動する。これにより、係止部材４の頭部４ｂはアーム部材２の挿脱孔１０に挿通可能な状態となる。この状態でアーム部材２を倒位置から起立位置へと枢軸７を支点に回転させ、挿脱孔１０に係止部材４を挿通させる。
【００５４】
次いで、スライダ２８をスライダ溝２７内で逆向きにスライドさせて、係止部材４を図１３に示す離脱許容位置から図１４に示す離脱阻止位置へと切り換える。係止部材４は、クリックストップ機構の作用により離脱阻止位置に正確に停止する。これにより、頭部４ｂが挿脱孔１０の縁に係止してアーム部材２の横倒しを阻止する。この状態でアーム部材２に外力が作用しても、アーム部材２は扉１の内表面１ａ上に倒れることはなく、ドアガードはガード状態に保持される。
【００５５】
また、上記のように係止部材４を離脱阻止位置に切り換えると同時に、扉１は半開き可能な状態となり、軸部４ａは案内溝１０内へとスライド可能になる。そこで、扉１を開けるに従い係止部材４の軸部４ａ上を案内溝１１の縁がスライドし、図１５及び図１６に示すように、アーム部材２のストップ位置に対応する閉止片２ｃが軸部４ａに当接する。これにより、扉１は半開状態となってストップし、それ以上は開かない。この扉１の半開状態において、扉１の隙間から手を差し込み係止部材４をスライダ溝２７上でスライド操作しようとしても、軸部４ａは案内溝１１に直交する方向には移動し得ないので、係止部材４の離脱許容位置への切換えは防止される。
【００５６】
また、例えば就寝時においては、このドアガードを錠として機能させることができ、その場合は係止部材４を図１４で示す離脱阻止位置から図１３に示す離脱許容位置へと切り換えておく。これにより、係止部材４の軸部４ａが案内溝１１内に入らないので、係止部材４は挿脱孔１０から案内溝１１への移行を阻止される。従って、扉１に設けられた図示しないメインの錠に加え、このドアガードが補助錠として扉１の施錠効果を高めることとなる。
【００５７】
なお、この実施の形態３において実施の形態１又は実施の形態２と同じ部品には同じ符号を付して示すこととし、その詳細な説明は省略する。
【００５８】
＜実施の形態４＞
図１７に示すように、この実施の形態４におけるドアガードでは、実施の形態２の場合と異なる構成の係止部材及び切換え手段が採用される。
【００５９】
すなわち、実施の形態２では係止部材４をその軸方向にスライドさせることにより離脱阻止位置又は離脱許容位置に切換えるようになっているが、この実施の形態４では係止部材４を水平面上で回転させることにより離脱阻止位置又は離脱許容位置に切換えるようになっている。
【００６０】
図１７に示すように、係止部材４の軸部４ａは垂直方向に伸びる支軸３２により受座１６に軸支される。支軸３２の回りの軸部４ａと受座１６との間には位置決め手段としてのクリックストップ機構が介装される。クリックストップ機構は、受座１６内に埋設された凸部であるボール３３と、ボール３３を軸部４ａへと付勢する図示しないスプリングと、軸部４ａの支軸３２の回りに形成された図示しない二つの凹部とを具備する。二つの凹部は係止部材の離脱阻止位置と離脱許容位置に夫々対応する。
【００６１】
図１７に示すように、係止部材４を支軸３２を支点に回転させて二点鎖線で示す離脱許容位置から実線で示す離脱阻止位置へと切り換えると、アーム部材２を実線で示す起立位置から二点鎖線で示す倒位置へと回転させようとしても挿脱孔１０の縁の枢軸７を支点にした円弧１０ａ上に係止部材４の頭部４ｂが突起となって介入し、アーム部材２の倒動作を阻止する。また、係止部材４を図１７の二点鎖線で示す位置以上に回転可能とし、頭部４ｂがアーム部材４の案内溝１１の入り口に臨むようにすれば、閉扉状態でアーム部材２を起立させ挿脱孔１０に係止部材４を挿入し、係止部材４を離脱阻止位置から離脱許容位置に切り換えた状態にしておくと、頭部４ｂが挿脱孔１０内において案内溝１１の入り口に臨むことになるので、係止部材４の案内溝１１内への移動を阻止し、ドアガードが錠として扉１の開扉を阻止することができる。
【００６２】
なお、係止部材４の全体を傾斜させる構成に代えて、係止部材４の頭部４ｂの断面形状を楕円或いは長方形とし、この頭部４ｂを軸部４ａ上で所定の角度だけ回転可能として、頭部４ｂを傾斜させることにより、アーム部材２の挿脱孔１０の軌道に対して頭部４ｂを出没させるようにしてもよい。
【００６３】
次に、上記構成のドアガードの作用を説明する。
【００６４】
このドアガードをガード状態にするには、まず、係止部材４を実線位置から二点鎖線位置へと支軸３２を支点に回転させて離脱許容位置に切り換える。係止部材４はクリックストップ機構の作用で離脱阻止位置から離脱許容位置へと正確に移動する。これにより、係止部材４の頭部４ｂはアーム部材２の挿脱孔１０に挿通可能な状態となる。この状態でアーム部材２を二点鎖線で示す倒位置から実線で示す起立位置へと枢軸７を支点に回転させ、挿脱孔１０に係止部材４を挿通させる。アーム部材２はクリックストップ機構の作用により、二点鎖線位置又は実線位置に正確に停止し保持される。
【００６５】
次いで、係止部材４を二点鎖線位置から実線位置へと回転傾斜させて離脱阻止位置に切り換える。係止部材４は、クリックストップ機構の作用により離脱阻止位置に正確に停止する。これにより、頭部４ｂが挿脱孔１０の縁の支軸３２を支点にした円弧１０ａ上に突出してアーム部材２に干渉しアーム部材２の横倒しを阻止する。この状態でアーム部材２に外力が作用しても、アーム部材２は扉１の内表面１ａ上に倒れることはなく、ドアガードはガード状態に保持される。
【００６６】
また、上記のように係止部材４を離脱阻止位置に切り換えると同時に、扉１は半開き可能な状態となり、軸部４ａは案内溝１１内へとスライド可能になる。そこで、扉１を開けるに従い係止部材４の軸部４ａ上を案内溝１１の縁がスライドし、アーム部材２のストップ位置に対応する閉止片２ｃが軸部４ａに当接する。これにより、扉１は半開状態となってストップし、それ以上は開かない。この扉１の半開状態において、扉１の隙間から手を差し込み係止部材４を回動操作しようとしても、頭部４ｂがこの回動を阻むので、係止部材４の離脱許容位置への切換えは防止される。
【００６７】
また、例えば就寝時においては、このドアガードを錠として機能させることができ、その場合は係止部材４を図１７中実線で示す離脱阻止位置から同図中二点鎖線で示す離脱許容位置を超える位置へと回動させておく。これにより、係止部材４の頭部４ｂが案内溝１１に臨むので、係止部材４は挿脱孔１０から案内溝１１への移行を阻止される。従って、扉１に設けられた図示しないメインの錠に加え、このドアガードが補助錠として扉１の施錠効果を高めることとなる。
【００６８】
なお、この実施の形態４において実施の形態１又は実施の形態２と同じ部品には同じ符号を付して示すこととし、その詳細な説明は省略する。
【００６９】
【発明の効果】
請求項１の発明によれば、扉に起倒可能に連結されたアーム部材と、出入口枠に取り付けられた係止部材とを備え、アーム部材には、閉扉後のアーム部材の起倒により係止部材が挿脱する挿脱孔と、開扉時に係止部材上をストップ位置までスライドする上記挿脱孔に連なる案内溝とが設けられたドアガードにおいて、閉扉状態で係止部材を挿脱孔に対する離脱阻止位置と離脱許容位置との間で切換える切換え手段が設けられたドアガードであるから、閉扉後にアーム部材を起立させ挿脱孔に係止部材を挿入した上で係止部材を離脱許容位置から離脱阻止位置に切り換えると係止部材が挿脱孔に係止してアーム部材の倒動作を阻止する。従って、不注意、不審者等によるドアガードのガード状態の解除を確実に防止することができ、防犯効果をより一層高めることができる。
【００７０】
請求項２の発明によれば、扉に起倒可能に連結されたアーム部材と、出入口枠に取り付けられた係止部材とを備え、アーム部材には、閉扉後のアーム部材の起倒により係止部材が挿脱する挿脱孔と、開扉時に係止部材上をストップ位置までスライドする上記挿脱孔に連なる案内溝とが設けられたドアガードにおいて、閉扉状態で係止部材を挿脱孔に対する離脱阻止位置と離脱許容位置との間で切換える切換え手段が設けられ、係止部材は切換え手段により離脱阻止位置から離脱許容位置に切り換えられた状態で挿脱孔から案内溝への移行を阻止されるように形成されたドアガードであるから、閉扉後にアーム部材を起立させ挿脱孔に係止部材を挿入しておくと係止部材が挿脱孔内に留まり案内溝内への移動を阻止される。従って、ドアガードが錠として扉の開閉を阻止することとなり、例えば扉のメイン錠の補助錠として、また、就寝時に扉の施錠を忘れた時の補助錠として使用することで防犯効果をより一層高めることができる。
【００７１】
請求項３の発明によれば、請求項１又は請求項２に記載のドアガードにおいて、係止部材が案内溝内に在るときは切換え手段がロックされるようにしたドアガードであるから、半開状態の扉の隙間から手を差し込んでも係止部材４の離脱許容位置への切換えは防止される。
【００７２】
請求項４の発明によれば、請求項１乃至請求項３のいずれかに記載のドアガードにおいて、切換え手段により切り換えられる係止部材を離脱許容位置又は離脱阻止位置に拘束する位置決め手段が設けられたドアガードであるから、係止部材を離脱許容位置又は離脱阻止位置に正確に切り換えることができ、また、切り換え後の位置に係止部材をしっかりと保持し振動、衝撃等による切り換わりを防止することができる。
【図面の簡単な説明】
【図１】本発明の実施の形態１に係るドアガードを係止部材が離脱許容位置に切り換えられた状態で示す正面図である。
【図２】図１中、ＩＩ−ＩＩ線矢視断面図である。
【図３】図１に示すドアガードを係止部材が離脱阻止位置に切り換えられた状態で示す正面図である。
【図４】図３中、ＩＶ−ＩＶ線矢視断面図である。
【図５】図１に示す係止部材の切換え装置を示す部分切欠側面図である。
【図６】図５に示す係止部材の切換え装置の背面図である。
【図７】図３に示すドアガードを扉が半開した状態で示す部分正面図である。
【図８】図７中、ＶＩＩＩ−ＶＩＩＩ線矢視図である。
【図９】本発明の実施の形態２に係るドアガードを係止部材が離脱阻止位置に切り換えられた状態で示す正面図である。
【図１０】図９中、Ｘ−Ｘ線矢視断面図である。
【図１１】図１０に示す係止部材の切換え手段を示す拡大図である。
【図１２】図１０に示すドアガードを扉が半開した状態で示す平面図である。
【図１３】本発明の実施の形態３に係るドアガードを係止部材が離脱許容位置に切り換えられた状態で示す正面図である。
【図１４】図１３に示すドアガードを係止部材が離脱阻止位置に切り換えられた状態で示す正面図である。
【図１５】図１４に示すドアガードを扉が半開した状態で示す正面図である。
【図１６】図１５中、ＸＶＩ−ＸＶＩ線矢視断面図である。
【図１７】本発明の実施の形態４に係るドアガードを示す水平断面図である。
【符号の説明】
１…扉
２…アーム部材
３…出入口枠
４…係止部材
４ａ…軸部
１０…挿脱孔
１１…案内溝
１３…ボール
２０…突起
２１…ロック部
２２…スライド孔
２３…ボール
２８…スライダ
２９…ボール
３２…支軸
３４…丸軸
【図１】
2004019135.tif 000003
【図２】
2004019135.tif 000004
【図３】
2004019135.tif 000005
【図４】
2004019135.tif 000006
【図５】
2004019135.tif 000007
【図６】
2004019135.tif 000008
【図７】
2004019135.tif 000009
【図８】
2004019135.tif 000010
【図９】
2004019135.tif 000011
【図１０】
2004019135.tif 000012
【図１１】
2004019135.tif 000013
【図１２】
2004019135.tif 000014
【図１３】
2004019135.tif 000015
【図１４】
2004019135.tif 000016
【図１５】
2004019135.tif 000017
【図１６】
2004019135.tif 000018
【図１７】
2004019135.tif 000019